(57)【要約】【課題】  回転駆動される現像ローラと、該現像ローラの内部に配置された磁石とを有し、トナーとキャリアを有する二成分系の現像剤を、回転する現像ローラの周面に磁力によって担持しつつ搬送し、搬送される現像剤によって、感光体に形成された潜像をトナー像として可視像化する現像装置において、現像に使用された現像剤を現像ローラの周面から効率よく除去して、可視像化されたトナー像の画質を向上させる。【解決手段】  現像ローラ１１Ｙの周面の剤切り領域Ｇにクリーニングブラシ６１Ｙを当接させる。【選択図】  図３
2005234270.tif 000002
【特許請求の範囲】
【請求項１】
回転駆動される現像ローラと、該現像ローラの内部に配置された磁石とを有し、トナーとキャリアを有する二成分系の現像剤を、回転する現像ローラの周面に磁力によって担持しつつ搬送し、搬送される現像剤によって、感光体に形成された潜像をトナー像として可視像化する現像装置において、前記現像ローラの周面の剤切り領域に当接するクリーニング部材を設けたことを特徴とする現像装置。
【請求項２】
前記クリーニング部材が、回転可能なクリーニングブラシより成る請求項１に記載の現像装置。
【請求項３】
前記クリーニングブラシに付着した現像剤を叩き落とすフリッカーを設けた請求項２に記載の現像装置。
【請求項４】
前記クリーニング部材が、回転可能なクリーニングローラより成る請求項１に記載の現像装置。
【請求項５】
前記クリーニング部材が、前記現像ローラの周面に圧接したクリーニングブレードより成る請求項１に記載の現像装置。
【請求項６】
少なくとも請求項１乃至５のいずれかに記載の現像装置と、該現像装置によってトナー像が形成される感光体とを一体的に組み付けて成り、画像形成装置本体に着脱可能に装着されることを特徴とするプロセスカートリッジ。
【請求項７】
請求項６に記載のプロセスカートリッジを具備することを特徴とする画像形成装置。
【請求項８】
請求項１乃至５のいずれかに記載の現像装置を具備することを特徴とする画像形成装置。
【発明の詳細な説明】
【技術分野】
【０００１】
本発明は、回転駆動される現像ローラと、該現像ローラの内部に配置された磁石とを有し、トナーとキャリアを有する二成分系の現像剤を、回転する現像ローラの周面に磁力によって担持しつつ搬送し、搬送される現像剤によって、感光体に形成された潜像をトナー像として可視像化する現像装置と、その現像装置を有するプロセスカートリッジと、該プロセスカートリッジないしは現像装置を有する画像形成装置に関するものである。
【背景技術】
【０００２】
複写機、プリンタ、ファクシミリ或いはこれらの複合機などとして構成される画像形成装置に採用可能な上記形式の現像装置は従来より周知である（特許文献１参照）。従来のこの種の現像装置は、現像ローラと感光体との間の現像領域を通過した現像剤を、磁力の作用によって一旦、現像ローラの周面から分離し、その分離した現像剤を現像ケース内の他の現像剤と混合し、トナーとキャリアとが充分に撹拌された現像剤を再び現像ローラの周面に供給し、その現像剤によって潜像を可視像化するように構成されている。かかる構成により、トナー濃度が過度に低下した現像剤が潜像の可視像化に使用されることを防止でき、高品質なトナー像を形成することができる。このように、現像ローラの周面から現像剤が分離されている領域が、現像ローラ周面の剤切り領域である。
【０００３】
上述のように、従来の現像装置も、現像に使用された現像剤を現像ローラ周面から、一旦分離するように構成されているのであるが、実際には、現像領域を通過した全ての現像剤を現像ローラ周面から分離することは難しく、かなりの量の現像剤が現像ローラの周面に付着したままとなり、この現像剤が、新たに現像ローラ周面に供給された現像剤と共に、再び現像領域に運ばれ、潜像の可視像化に供される。このように現像ローラの周面に付着したままとなった現像剤は、その直前に潜像の可視像化に用いられたものであるため、その現像剤のトナー濃度が低くなっている。従って、かかる現像剤がそのまま現像領域に運ばれて潜像の可視像化に供されることになれば、これによって形成されたトナー像の画像濃度が異常に低下し、その画質が劣化する欠点を免れない。
【０００４】
また、現像ローラの周面に付着したままとなった現像剤中のトナーが経時的に現像ローラの周面に固着することもある。かかる現象が発生すると、現像装置の現像能力が低下し、これによっても、形成されたトナー像の画質が劣化する。
【０００５】
【特許文献１】特開２０００−３０５３６０号公報
【発明の開示】
【発明が解決しようとする課題】
【０００６】
本発明の目的は、上述した従来の欠点を除去し、ないしは効果的に抑制できる現像装置と、その現像装置を有するプロセスカートリッジと、該現像装置ないしはプロセスカートリッジを有する画像形成装置を提供することにある。
【課題を解決するための手段】
【０００７】
本発明は、上記目的を達成するため、冒頭に記載した形式の現像装置において、前記現像ローラの周面の剤切り領域に当接するクリーニング部材を設けたことを特徴とする現像装置を提案する（請求項１）。
【０００８】
また、上記請求項１に記載の現像装置において、前記クリーニング部材が、回転可能なクリーニングブラシより成ると有利である（請求項２）。
【０００９】
さらに、上記請求項２に記載の現像装置において、前記クリーニングブラシに付着した現像剤を叩き落とすフリッカーを設けると有利である（請求項３）。
【００１０】
また、上記請求項１に記載の現像装置において、前記クリーニング部材が、回転可能なクリーニングローラより成ると有利である（請求項４）。
【００１１】
さらに、上記請求項１に記載の現像装置において、前記クリーニング部材が、前記現像ローラの周面に圧接したクリーニングブレードより成ると有利である（請求項５）。
【００１２】
また、本発明は、上記目的を達成するため、少なくとも請求項１乃至５のいずれかに記載の現像装置と、該現像装置によってトナー像が形成される感光体とを一体的に組み付けて成り、画像形成装置本体に着脱可能に装着されることを特徴とするプロセスカートリッジを提案する（請求項６）。
【００１３】
さらに、本発明は、上記目的を達成するため、請求項６に記載のプロセスカートリッジを具備することを特徴とする画像形成装置を提案する（請求項７）。
【００１４】
また、本発明は、上記目的を達成するため、請求項１乃至５のいずれかに記載の現像装置を具備することを特徴とする画像形成装置を提案する（請求項８）。
【発明の効果】
【００１５】
本発明によれば、潜像の可視像化に使用された現像ローラ上の現像剤をクリーニング部材によって効率よく除去できるので、トナー像の画質を向上させることができる。
【発明を実施するための最良の形態】
【００１６】
以下、本発明の実施形態例を図面に従って詳細に説明する。
【００１７】
図１はフルカラー画像を形成する画像形成装置の一例を示す垂直断面図であり、ここに示した画像形成装置は、画像形成装置本体１内に配置されたドラム状の第１乃至第４の感光体２Ｙ，２Ｃ，２Ｍ，２ＢＫと、同じく画像形成装置本体１内に配置された無端状の中間転写ベルト３を有している。中間転写ベルト３は支持ローラ４，５，６に巻き掛けられて矢印Ａ方向に回転駆動される。この中間転写ベルト３は、各感光体２Ｙ乃至２ＢＫの上方に位置し、該中間転写ベルト３の下側の走行辺が各感光体２Ｙ乃至２ＢＫの周面に当接している。中間転写ベルト３は、各感光体の表面にそれぞれ形成された互いに異なる色のトナー像が重ねて転写される転写材の一例を構成するものである。
【００１８】
第１乃至第４の各感光体２Ｙ，２Ｃ，２Ｍ，２ＢＫ上にトナー像を形成し、そのトナー像を中間転写ベルト３に転写する構成は、そのトナー像の色が異なるだけで、実質的に全て同一であるため、第１の感光体２Ｙにトナー像を形成し、そのトナー像を中間転写ベルト３に転写する構成だけを説明する。
【００１９】
図２は、この感光体２Ｙと、その感光体２Ｙの表面にトナー像を形成するための各作像装置を示す拡大図である。感光体２Ｙは図２における時計方向に回転駆動され、このとき帯電電圧を印加された帯電ローラ７Ｙより成る帯電装置によって感光体２Ｙが所定の極性に帯電される。帯電後の感光体２Ｙには、図１に示した光書き込み装置８から出射する光変調されたレーザビームＬが照射され、これによって感光体２Ｙに静電潜像が形成される。この静電潜像は、現像装置９Ｙによってイエロートナー像として可視像化される。
【００２０】
現像装置９Ｙは、トナーとキャリアを有する二成分系の乾式現像剤Ｄを収容した現像ケース１０Ｙと、この現像ケース１０Ｙに回転自在に支持され、かつ該現像ケースに形成された開口を通して感光体２Ｙに近接して対向配置された現像ローラ１１Ｙと、この現像ローラ１１Ｙの内部に配置された磁石６０Ｙと、現像ローラ１１Ｙ上の現像剤量を規制する規制ブレード３１Ｙと、現像ローラ１１Ｙに対向して配置された第１及び第２搬送スクリュー３２Ｙ，３３Ｙを有している。現像剤Ｄのキャリアは、その少なくとも一部が磁性体より成り、かかる現像剤Ｄが第１及び第２の搬送スクリュー３２Ｙ，３３Ｙによって搬送されながら撹拌される。また、図２に例示した磁石６０Ｙは、図３にも示すように円筒状に形成され、その周方向に沿って第１乃至第５の磁極Ｐ１乃至Ｐ５が着磁されている。かかる磁石６０Ｙによる磁力分布は、図３に符号Ｑを付して示した曲線のようになっている。第５、第１、第２及び第３の磁極は、その極性がＮ，Ｓ，Ｎ，Ｓと交互に異なっているが、第３の磁極Ｐ３と第４の磁極Ｐ４は共にＳ極の同極性となっていて、これらの間に反発磁界が形成されている。現像ローラ１１Ｙは非磁性体によって構成されている。
【００２１】
現像ローラ１１Ｙは、図示していない駆動装置によって、図１乃至図３における反時計方向に回転駆動される。これに対し磁石６０Ｙは回転することなく停止したままである。これにより、トナーと、磁性体を含むキャリアとを有する二成分系の現像剤Ｄは、図３に矢印Ｅで示すように、第４の磁極Ｐ４に対応する部分において、回転する現像ローラ１１Ｙの周面に磁力によって汲み上げられ、その現像ローラ１１Ｙの周面に磁力によって担持されつつ、現像ローラ１１Ｙの回転方向に搬送される。このとき、規制ブレード３１Ｙによって、現像ローラ１１Ｙ上の現像剤の高さが規制され、規制後の現像剤が現像ローラ１１Ｙと感光体２Ｙとの間の現像領域に運ばれ、ここで現像剤中のトナーが感光体２Ｙに形成された静電潜像に静電的に移行して、該潜像がトナー像として可視像化される。現像ローラ１１Ｙ上に担持されつつ搬送される現像剤によって、感光体２Ｙに形成された潜像がトナー像として可視像化されるのである。このとき、現像ローラ１１Ｙには所定の現像バイアスが印加される。
【００２２】
現像領域を通過した現像剤は、図３に示した第３の磁極Ｐ３に対応する現像ローラ１１Ｙの表面部分において、矢印Ｆで示すように、現像ローラ１１Ｙの周面から磁力によって分離され、その分離された現像剤は、第１及び第２の搬送スクリュー３２Ｙ，３３Ｙの作用により、現像ケース１０Ｙ内の現像剤Ｄと撹拌される。そして、トナーとキャリアが充分に撹拌された現像剤が、図３に矢印Ｅで示すように現像ローラ１１Ｙの周面に磁力によって供給され、その現像剤が現像領域に運ばれて、静電潜像の可視像化に供される。
【００２３】
上述のように、磁石６０Ｙの第３の磁極Ｐ３と第４の磁極Ｐ４との間の領域は、現像剤Ｄが分離されている剤切り領域Ｇとなっている。
【００２４】
一方、図１に示すように、中間転写ベルト３を挟んで、感光体２Ｙと反対側には一次転写ローラ１２Ｙが配置され、この一次転写ローラ１２Ｙに転写電圧が印加されることにより、感光体２Ｙ上のトナー像が、矢印Ａ方向に回転する中間転写ベルト３上に一次転写される。トナー像転写後の感光体２Ｙ上に付着する転写残トナーはクリーニング装置１３Ｙによって除去される。
【００２５】
本例のクリーニング装置１３Ｙは、図２に示すように、感光体２Ｙを向いた側に開口を有するクリーニングケース３４Ｙと、基端部がそのクリーニングケース３４Ｙに固定支持され、先端部が感光体２Ｙの表面に圧接して、該感光体２Ｙ上の転写残トナーを除去するクリーニングブレード３５Ｙと、除去されたトナーを図示していない廃トナーボトルに搬送する廃トナースクリュー３６Ｙとを有している。帯電ローラ７Ｙには、直流に交流成分の重畳された帯電電圧が印加されているので、クリーニング装置１３Ｙを通過した感光体２Ｙが帯電ローラ７Ｙを通るとき、除電と同時に帯電され、次の作像に備える。
【００２６】
上述したところと全く同様にして、図１に示した第２乃至第４の感光体２Ｃ，２Ｍ，２ＢＫ上にシアントナー像、マゼンタトナー像及びブラックトナー像がそれぞれ形成され、これらのトナー像がイエロートナー像の転写された中間転写ベルト３上に順次重ねて一次転写され、中間転写ベルト３上に合成トナー像が形成される。トナー像転写後の各感光体２Ｃ，２Ｍ，２ＢＫ上の転写残トナーがクリーニング装置により除去されることも第１の感光体２Ｙの場合と変わりはない。
【００２７】
図１に示すように、第２乃至第４の感光体２Ｃ，２Ｍ，２ＢＫのまわりにも第１の感光体２Ｙのまわりに設けられた各作像装置と同じく作用する作像装置が配置されているが、図１には、これらの作像装置に対して、第１の感光体２Ｙのまわりに設けられた作像装置に付した符号Ｙの代りにＣ，Ｍ，ＢＫを添えた符号を付してある。
【００２８】
一方、図１に示すように、画像形成装置本体１内の下部には、例えば転写紙より成る記録媒体Ｐを収容した給紙カセット１４と、給紙ローラ１５を有する給紙装置１６が配置され、給紙ローラ１５の回転によって最上位の記録媒体Ｐが矢印Ｂ方向に送り出される。送り出された記録媒体は、レジストローラ対１７によって、所定のタイミングで支持ローラ４に巻き掛けられた中間転写ベルト３の部分と、これに対置された二次転写ローラ１８との間に給送される。このとき、二次転写ローラ１８には所定の転写電圧が印加され、これによって中間転写ベルト３上の合成トナー像が記録媒体Ｐに二次転写される。
【００２９】
合成トナー像を二次転写された記録媒体Ｐはさらに上方に搬送されて定着装置１９を通り、このとき記録媒体Ｐ上のトナー像が熱と圧力の作用により定着される。定着装置１９を通過した記録媒体Ｐは、排紙ローラ対２０によって、画像形成装置本体１の上部の排紙部２２に排出される。また、トナー像転写後の中間転写ベルト３上に付着する転写残トナーはクリーニング装置２４によって除去される。
【００３０】
画像形成装置本体１内の上部であって、後述するプロセスカートリッジ４０Ｙ乃至４０ＢＫよりも上方の位置に、イエロー、シアン、マゼンタ及びブラックの各色のトナーを収容したトナーボトル３７Ｙ，３７Ｃ，３７Ｍ，３７ＢＫが、画像形成装置本体１に対して着脱可能に装着され、その各トナーボトル３７Ｙ乃至３７ＢＫから、その各色のトナーが図示していない搬送路を通して、各現像装置９Ｙ，９Ｃ，９Ｍ，９ＢＫにそれぞれ補給される。
【００３１】
ところで、図２に示した現像装置９Ｙは、前述のように、現像領域において現像に使用された現像剤を、磁力の作用によって一旦、現像ローラ１１Ｙの周面から分離し、その分離した現像剤を現像ケース１０Ｙ内の他の現像剤と混合し、トナーとキャリアが充分に撹拌した状態の現像剤を現像ローラ１１Ｙの周面に供給するように構成されている。ところが、従来の現像装置においては、現像領域を通過した現像剤を全て現像ローラの周面から除去することはできず、一部の現像剤が現像ローラの周面に付着したまま再び現像領域に運ばれるため、可視像化された感光体２Ｙ上のトナー像の画質が劣化するおそれがあった。しかも、現像ローラ１１Ｙの周面にトナーが固着することによって、トナー像の画質劣化が発生するおそれも免れなかった。これは、現像装置９Ｙに限らず、他の現像装置９Ｃ，９Ｍ，９ＢＫにおいても同様である。
【００３２】
そこで、本例の現像装置においては、図１乃至図３に示すように、現像ローラ１１Ｙの周面の剤切り領域Ｇに当接するクリーニング部材の一例であるクリーニングブラシ６１Ｙが設けられている。このクリーニングブラシ６１Ｙは、芯軸６２Ｙと、その芯軸６２Ｙに基端部が固定されたブラシ６３より成り、そのブラシ６３Ｙが現像ローラ１１Ｙの周面に当接し、芯軸６２Ｙが現像ケース１０Ｙに回転可能に支持されている。本例のクリーニングブラシ６１Ｙは、図示していない駆動装置によって、現像ローラ１１Ｙの回転方向に対してカウンタ向きに回転駆動されるように構成されているが、クリーニングブラシ６１Ｙを、現像ローラ１１Ｙの回転によって従動回転させるように構成することもできる。
【００３３】
上述した構成によれば、現像ローラ１１Ｙの周面から分離されずに外周面に付着したままとなっている現像剤を、クリーニングブラシ６１Ｙによって効率的に掻き取り、これを散らすことができる。このため、現像領域を通過した現像剤が現像ローラ１１Ｙの周面から分離されないまま、他の現像剤と共に再び現像領域へ運ばれる不具合を防止することができる。現像領域を通過した直後のトナー濃度が低下した現像剤が現像領域に搬送され、画像濃度の低いトナー像が形成されることを防止できるのである。しかも現像ローラ１１Ｙの周面にトナーが固着する不具合も阻止できる。このようにして、常に高品質なトナー像を感光体Ｙ上に形成することができる。
【００３４】
また、現像ローラ１１Ｙの周面の剤切り領域Ｇには、現像剤が付着しているとしても、その量は極く少量であり、かかる剤切り領域Ｇにクリーニングブラシ６１Ｙが当接するので、ここに付着した現像剤を特に効率よく除去することができる。しかも、現像動作や、現像剤の帯電機能に影響を及ぼすことはなく、当該現像剤に過度なストレスを与えることを防止できる。
【００３５】
また、本例の現像装置９Ｙにおいては、図２に示すように、クリーニングブラシ６１Ｙのブラシ６３Ｙに付着した現像剤を叩き落とすフリッカー６４Ｙが設けられている。これにより、ブラシ６３Ｙに付着した現像剤を積極的に除去できるので、クリーニングブラシ６１Ｙを常にリフレッシュすることができ、かかるクリーニングブラシ６１Ｙによって、現像ローラ１１Ｙから効率よく現像剤を掻き落すことができる。
【００３６】
上述した例では、クリーニング部材が回転可能なクリーニングブラシ６１Ｙにより構成されているが、このクリーニング部材を、例えばソリッドゴムなどの弾性体又は発泡体などから成る回転可能なクリーニングローラにより構成することもできる。このクリーニングローラも、現像ローラ１１Ｙの周面の剤切り領域Ｇに当接しながら回転し、その周面に付着した現像剤を除去する。この場合も、クリーニングローラを駆動装置によって積極的に回転駆動してもよいし、現像ローラ１１Ｙの回転に従動回転させるように構成してもよい。
【００３７】
また、図４に示すように、現像ローラ１１Ｙの周面の剤切り領域Ｇ（図３）に当接するクリーニング部材を、その現像ローラ周面に圧接したクリーニングブレード６５Ｙによって構成することもできる。この場合も、このクリーニングブレード６５Ｙによって、現像ローラ１１Ｙの周面に付着した現像剤を効率よく除去することができる。
【００３８】
図１に示した他の現像装置９Ｃ，９Ｍ，９ＢＫにおいても、上述したところと全く同じく構成することができ、図１にはクリーニングブラシ６１Ｃ，６１Ｍ，６１ＢＫより成るクリーニング部材が設けられた例を示してある。
【００３９】
ところで、本例の画像形成装置においては、図２に示すように、現像ケース１０Ｙとクリーニングケース３４Ｙが一体化されたユニットケース４１Ｙとして形成され、感光体２Ｙがそのユニットケース４１Ｙに回転自在に支持され、当該感光体２Ｙと、現像装置９Ｙと、クリーニング装置１３Ｙと帯電ローラ７Ｙが一体的に組み付けられてプロセスカートリッジ４０Ｙが構成されている。他の各感光体２Ｃ，２Ｍ，２ＢＫと、そのまわりにそれぞれ設けられた作像装置によっても、全く同様なプロセスカートリッジ４０Ｃ，４０Ｍ，４０ＢＫがそれぞれ構成されている。このように、感光体と帯電装置と現像装置とクリーニング装置の全てを一体化してプロセスカートリッジを構成することもできるが、このプロセスカートリッジは、少なくとも、前述のように構成された現像装置と、その現像装置によってトナー像が形成される感光体とを一体的に組み付けて構成されるものであり、かかるプロセスカートリッジが画像形成装置本体１に着脱可能に装着される。画像形成装置がこのようなプロセスカートリッジを有しているのである。
【００４０】
本例の画像形成装置においては、図１に示すように、中間転写ベルト３は、同図における右端側が低く、左端側が高くなった傾斜した状態で配置され、各感光体２Ｙ乃至２ＢＫは、その中間転写ベルト３の下側の走行辺に沿って配置されている。各感光体２Ｙ乃至２ＢＫが、転写材の一例である中間転写ベルト３の表面移動方向に沿って、上下斜め方向に配列されているのであるが、これに対応して、各プロセスカートリッジ４０Ｙ乃至４０ＢＫは、上下斜め方向に配列されている。しかも、各プロセスカートリッジ４０Ｙ乃至４０ＢＫは、画像形成装置本体１に対して、図１及び図２の紙面に対して垂直な方向に着脱される。
【００４１】
より具体的に示すと、画像形成装置本体１内には、その画像形成装置本体１に固定されたガイド４２Ｙ，４２Ｃ，４２Ｍ，４２ＢＫが設けられ、その各ガイド４２Ｙ乃至４２ＢＫは、画像形成装置本体１に対する各プロセスカートリッジ４０Ｙ乃至４０ＢＫの脱着時に、該プロセスカートリッジを下から支えて案内する支え面４３Ｙ，４３Ｃ，４３Ｍ，４３ＢＫを有しており、各プロセスカートリッジを案内する各ガイド４２Ｙ乃至４２ＢＫの支え面４３Ｙ乃至４３ＢＫは、各プロセスカートリッジの高さ位置に対応して、互いに高さ位置が異なっている。各支え面４３Ｙ，４３Ｃ，４３Ｍ，４３ＢＫは、ほぼ水平に配置され、その各支え面が段々状に配置されているのである。また、各ガイド４２Ｙ乃至４２ＢＫと、各プロセスカートリッジ４０Ｙ，４０Ｃ，４０Ｍ，４０ＢＫのユニットケース４１Ｙ，４１Ｃ，４１Ｍ，４１ＢＫには、光書き込み装置８から出射したレーザビームＬが各感光体２Ｙ乃至２ＢＫに至り得るように、光透過窓４４Ｙ，４４Ｃ，４４Ｍ，４４ＢＫがそれぞれ形成されている。
【００４２】
また、プロセスカートリッジ４０Ｙ乃至４０ＢＫ、中間転写ベルト３、光書き込み装置８などの各要素の手前側には、画像形成装置本体１の前側板が配置されているが、この前側板には、図１に二点鎖線で示した開口４５が形成され、この開口４５を通して各プロセスカートリッジ４０Ｙ乃至４０ＢＫを脱着することができる。
【００４３】
上述のように、少なくとも感光体と現像装置とを一体的に組み付けてプロセスカートリッジを構成すると、その感光体や現像装置、或いはその部品が故障した場合も、プロセスカートリッジを交換するだけで、即座に画像形成動作を再開することができる。
【００４４】
以上、本発明を複数の感光体を有し、その各感光体から中間転写ベルトにトナー像を転写する形式の画像形成装置に適用した例を示したが、本発明は、１つの感光体を有し、その感光体上に形成されたトナー像を記録媒体に直に転写する形式の画像形成装置、及びそのプロセスカートリッジないしは現像装置などにも広く適用できるものである。
【図面の簡単な説明】
【００４５】
【図１】画像形成装置の一例を示す断面図である。
【図２】１つの感光体と、そのまわりに設けられた作像装置の拡大断面図である。
【図３】現像ローラと、その内部に配置された磁石の説明図である。
【図４】クリーニング部材としてクリーニングブレードを用いた例を示す、図２と同様な断面図である。
【符号の説明】
【００４６】
１  画像形成装置本体
２Ｙ，２Ｃ，２Ｍ，２ＢＫ  感光体
９Ｙ、９Ｃ、９Ｍ、９ＢＫ  現像装置
１１Ｙ  現像ローラ
４０Ｙ、４０Ｃ、４０Ｍ、４０ＢＫ  プロセスカートリッジ
６０Ｙ  磁石
６１Ｙ，６１Ｃ，６１Ｍ，６１ＢＫ  クリーニングブラシ
６４Ｙ  フリッカー
６５Ｙ  クリーニングブレード
Ｇ  剤切り領域
【図１】
2005234270.tif 000003
【図２】
2005234270.tif 000004
【図３】
2005234270.tif 000005
【図４】
2005234270.tif 000006